(57)【要約】【課題】私設網利用者が無線端末で私設網データサービス及び公衆網データサービスを選択的に利用でき、各使用者の端末に対する変更なしにシステムを変更することによりデータサービスを私設網を通じて提供を受けることができる方法及びそのシステムを提供する。【解決手段】  公衆網と私設網が連動した環境でデータサービスを提供する方法であって、使用者端末が、データサービス要請信号を発信する第１の段階と、私設網は、識別子情報を通じてデータサービスを私設網及び公衆網の中でどの網へ伝送するかを判断する第２の段階と、識別子情報によって私設網経由データサービス呼と判断されると、このデータサービス呼を私設コンテンツサーバーへ伝送する第３の段階と、識別子情報によって公衆網経由データサービス呼と判断されると、このデータサービス呼を公衆網コンテンツサーバーへ伝送する第４の段階とを含む。【選択図】図４
2005223915.tif 000002
【特許請求の範囲】
【請求項１】
公衆網と私設網が連動したネットワークでデータサービスを提供する方法であって、
任意の端末でデータサービスを前記私設網と前記公衆網の中で伝送する網についての識別子を設定する第１の段階と、
前記任意の端末から伝送された前記識別子を検索し、検索結果に基づいて前記私設網と前記公衆網の一方へデータサービスを要請する第２の段階と、を含むことを特徴とする公衆網と私設網が連動したネットワークでデータサービスを提供する方法。
【請求項２】
公衆網と私設網が連動したネットワークでデータサービスを要請する方法であって、
使用者端末において、私設網を通じてデータサービスの提供を受けるか否かを設定する第１の段階と、
データサービスを前記私設網と前記公衆網の中で伝送する網ついての前記使用者端末での設定事項に関する識別子を前記私設網の私設網データベースに保存する第２の段階と、
前記使用者端末が、データサービスを要請した場合には、前記使用者端末の前記識別子を前記私設網データベースで検索し、前記私設網データベースに設定された状態に基づいて、前記私設網及び前記公衆網の一方にデータサービスを提供する第３の段階と、を含むことを特徴とする公衆網と私設網が連動したネットワークでデータサービスを提供する方法。
【請求項３】
前記私設網を通じた前記データサービスの設定についての機能を解除する第４の段階をさらに含むことを特徴とする請求項２記載の公衆網と私設網が連動したネットワークでデータサービスを提供する方法。
【請求項４】
前記第１の段階は、前記使用者端末のボタンキーによりデジットが入力設定されることにより実行されることを特徴とする請求項２記載の公衆網と私設網が連動したネットワークでデータサービスを提供する方法 。
【請求項５】
前記デジットは、私設網アクセスコードと、機能アクセスコードと、特性コードと、からなることを特徴とする請求項４記載の公衆網と私設網が連動したネットワークでデータサービスを提供する方法。
【請求項６】
前記第２の段階は、データサービスを要請する信号が、前記使用者端末の前記識別子とともに前記私設網の制御局に伝送されて、前記私設網の制御局内の前記私設網データベースの私設網データサービス設定テーブルの各エントリー別に設定された前記私設網の経路に関するフィールドを参照して実行されることを特徴とする請求項２記載の公衆網と私設網が連動したネットワークでデータサービスを提供する方法。
【請求項７】
前記第４の段階は、前記使用者端末のボタンキーにより、私設網アクセスコードと、機能アクセスコードと、私設網データサービス設定解除機能コードである特性コードとからなる特定の番号を入力設定されることにより実行されることを特徴とする請求項３記載の公衆網と私設網が連動したネットワークでデータサービスを提供する方法。
【請求項８】
前記特性コードは、私設網データサービス設定機能コードと、データ呼についての認証過程実行可否を表すコードと、からなることを特徴とする請求項５記載の公衆網と私設網が連動したネットワークでデータサービスを提供する方法。
【請求項９】
前記使用者端末のボタンキーにより入力設定した認証過程実行可否を表すコードに関する情報は、前記私設網の前記制御局の前記私設網データベースの私設網パケットデータ呼設定テーブルの認証フィールドに保存されることを特徴とする請求項８記載の公衆網と私設網が連動したネットワークでデータサービスを提供する方法。
【請求項１０】
前記特性コードは、私設網データサービス設定機能コードと、課金計算実行可否を表すコードと、からなることを特徴とする請求項５記載の公衆網と私設網が連動したネットワークでデータサービスを提供する方法。
【請求項１１】
前記使用者端末のボタンキーにより入力設定した課金計算実行可否を表すコードに関する情報は、前記私設網の制御局の前記私設網データベースの私設網パケットデータ呼設定テーブルの課金フィールドに保存されることを特徴とする請求項１０記載の公衆網と私設網が連動したネットワークでデータサービスを提供する方法。
【請求項１２】
公衆網と私設網が連動したネットワークであって、
使用者端末からのデータサービス要請信号を受信し、使用者端末へ送信するデータを送信する少なくとも一つの基地局と、
前記少なくとも一つの基地局を通じて送受信されるデータサービス要請信号を送受信する際に、データ制御を担当する公衆網と、
前記基地局に受信された前記データサービス要請信号に含まれる前記使用者端末の識別子に基づいて、データサービスのデータを前記私設網及び前記公衆網の中で伝送する網について判断し伝送する経路判断部を有する私設網と、
前記私設網で受信した前記データサービス要請信号は、前記私設網へのデータサービスであると判断した場合には、前記私設網に直接データサービスを提供する前記私設網専用の私設コンテンツサーバーと、を含むことを特徴とする公衆網と私設網が連動したネットワークでデータサービスを提供するシステム。
【請求項１３】
前記私設網は、前記使用者端末の識別子フィールドと、データサービス経路フィールドと、で構成されたテーブル構造のデータベースと、
前記基地局を通じて受信した前記データサービス要請信号の前記使用者端末の識別子を保存した前記データベースを参照して、前記識別子についてのデータサービス経路を判断して、前記私設網及び前記公衆網の一方へ伝送する経路判断部と、
前記データルーティングソフトウェアモジュールを通じて受信されたデータが、前記私設網を介するデータサービス経路である場合には、前記データを前記私設コンテンツサーバーへ伝送すると共に、前記使用者端末から前記私設網と前記公衆網に中で使用する網についての設定の入力がある場合には、前記入力を前記データベースに記録する私設網制御モジュールと、を含むことを特徴とする請求項１２記載の公衆網と私設網が連動したネットワークでデータサービスを提供するシステム。
【請求項１４】
前記データベースは、前記使用者端末がデータサービスの提供を受ける場合に、認証過程実行の可否を表す認証フィールドと、
前記使用者端末がデータサービスの提供を受けるときに、データサービスについての課金計算実行の可否を表す課金フィールドと、をさらに含むことを特徴とする請求項１３記載の公衆網と私設網が連動したネットワークでデータサービスを提供するシステム。
【請求項１５】
前記データベースの前記データサービス経路フィールドは、前記使用者端末が、データサービス経路を設定しない場合には、初期設定を前記公衆網とすることを特徴とする請求項１３記載の公衆網と私設網が連動したネットワークでデータサービスを提供するシステム。
【請求項１６】
前記私設網制御モジュールは、前記少なくとも一つの基地局を管理し、無線チャンネルセットアップ及び周波数ホッピング処理を担当する私設ＢＳＣモジュールと、
データサービスのデータ呼についてのスイッチング機能を担当する私設ＰＤＳＮモジュールと、を含むことを特徴とする請求項１３記載の公衆網と私設網が連動したネットワークでデータサービスを提供するシステム。
【請求項１７】
前記使用者端末は、前記使用者端末のディスプレー部によりデータサービス経由網の表示及び残り伝送回数、残り時間を表示することを特徴とする請求項１３記載の公衆網と私設網が連動したネットワークでデータサービスを提供するシステム。
【請求項１８】
公衆網と私設網が連動したネットワークでデータサービスを提供する方法であって、
使用者端末が、データサービス要請信号を発信する第１の段階と、
前記私設網が、識別子情報に基づいてデータサービスを前記私設網及び前記公衆網のいずれへ伝送するかを判断する第２の段階と、
前記識別子情報に基づいて、前記私設網を経由するデータサービス呼と判断された場合には、前記データサービス呼を、私設コンテンツサーバーへ伝送する第３の段階と、
前記識別子情報に基づいて、前記公衆網を経由するデータサービス呼と判断された場合には、前記データサービス呼を、公衆網コンテンツサーバーへ伝送する第４の段階と、を含むことを特徴とする公衆網と私設網が連動したネットワークでデータサービスを提供する方法。
【請求項１９】
データサービスを提供する私設コンテンツサーバーと、
呼を要請する使用者端末から受信されたデータサービス要請信号に含まれた前記使用者端末の識別子に基づいて、データサービスのデータを私設網及び公衆網の中で伝送する網について判断して伝送する経路判断部を有する私設網システムと、を有し、
前記経路判断部は、前記使用者端末が、前記私設網を通じてデータを伝送することを知らせる設定メッセージを、前記使用者端末から予め受信して、前記設定メッセージに含まれる設定情報を前記私設網システムに保存し、前記私設網システムは、前記使用者端末が以後発信するデータサービス要請信号を、前記使用者端末からの前記設定メッセージに含まれる設定情報に基づいて、前記私設網又は前記公衆網を選択して伝送するを特徴とする公衆網と私設網が連動したネットワークでデータサービスを提供するシステム。
【請求項２０】
私設網データ呼を設定するための複数のデジットを入力する段階と、
任意の機能を設定するために入力された前記複数のデジットを有する呼発信側メッセージを第１のユニットへ伝送し、前記呼発信側メッセージに含まれる前記複数のデジットの第１のデジットに基づいて、前記呼発信側メッセージが、私設網サービスを表示するか否かを判断する段階と、
前記第１のデジットが、前記私設網接続コードではない場合には、前記第１のデジットを公衆網接続コードと判断し、前記第１のユニットがデータ呼を公衆網ＢＳＣへ伝送する段階と、
前記第１のデジットが、前記私設網接続コードである場合には、前記呼発信側メッセージに含まれる前記複数のデジットの第２のデジットが、機能コードであるか否かを判断する段階と、
前記第２のデジットが、機能コードではない場合には、前記私設網に接続する間に他の機能設定がないと設定し、前記データ呼を前記私設網に接続する段階と、
前記第２のデジットが機能コードである場合には、前記第２のデジットの後の残りのデジットに基づいて、私設パケットデータサービスの経路を設定することにより他の機能を設定し、第２のユニットは、私設データサービス呼設定テーブルにある使用者端末のデータサービス呼経路フィールドを、私設網で設定し、データサービスオプションである認証フィールドを、任意の第１の値で記録し、データサービスオプションである課金フィールドを任意の第２の値で記録する段階と、を含むことを特徴とする公衆網と私設網が連動したネットワークでデータサービスを提供する方法。
【請求項２１】
私設網と公衆網が共有するセル領域内の使用者端末が、前記使用者端末のブラウザーによりＵＲＬ入力メニューを通じて区内コンテンツサーバーに接続試み信号を送信する場合に、前記私設網の私設ＢＳＣの第１のユニットが、前記私設ＢＳＣの私設パケットデータ呼設定テーブルから前記使用者端末のデータ送受信経路設定情報を呼び出す段階と、
前記使用者端末のＩＤに対応する私設網パケットデータ呼経路フィールドが前記私設網で設定されている場合には、前記第１のユニットは、前記第１のユニットのＰＰＰデモンを実行して、前記使用者端末のＰＰＰクライアントモジュールとのＰＰＰ交渉を進行する段階と、
前記ＰＰＰ交渉が完了した場合には、前記私設パケットデータ呼設定テーブルで、前記使用者端末のＩＤに対応する認証フィールドの値を比較する段階と、
前記認証フィールドの値が任意の値である場合には、前記使用者端末の認証過程を実行して前記ＰＰＰ交渉を終了する段階と、
前記ＰＰＰ交渉過程が終了した場合には、前記使用者端末と私設コンテンツサーバーとの間にセッションが形成され、前記使用者端末は、前記区内コンテンツサーバーに接続可能となり、コンテンツの中で所望のパケットデータをダウンローディングする段階と、を含むことを特徴とする公衆網と私設網が連動したネットワークでデータサービスを提供する方法。
【請求項２２】
私設網接続コード用の第１の値の集合と、機能接続コード用の第２の値の集合と、特性コード用の第３の値の集合とからなる私設網パケットデータ呼の設定を解除するための複数の値の入力に基づいて前記私設網パケットデータ呼の設定を解除する段階と、
第１のユニットへ伝送されて任意の機能を設定するための呼発信側メッセージのための複数の値を伝送する段階と、
前記第１のユニットで前記私設網パケットデータ呼の第１の値の集合に基づいて要請されたサービスが私設網サービスであるか否かを判断する段階と、
前記第１の値の集合が、前記私設網接続コードではなく公衆網コードである場合には、前記第１のユニットから現在のデータ呼を公衆網ＢＳＣへ伝送する段階と、
前記第１の値の集合が、前記私設網接続コードである場合には、前記複数の値の中の第２の値の集合が機能コードであるか否かを判断する段階と、
前記複数の値の中で第２の値の集合が機能コードではない場合には、前記私設網に接続する間に他の機能設定がないと判断し、第２のユニットが前記データ呼を私設網に接続する段階と、
前記複数の値の中で第２の値の集合が、機能コードである場合には、使用者端末が、他の機能を設定したと判断して、前記第２の値の後の値に基づいて、前記私設網パケットデータ呼の設定を解除し、前記私設網パケットデータ呼設定テーブルで前記使用者端末のパケットデータ呼経路フィールドを、公衆網に変更する段階と、を含むことを特徴とする公衆網と私設網が連動したネットワークでデータサービスを提供する方法。
【発明の詳細な説明】
【技術分野】
【０００１】
本発明は、公衆網と私設網が連動したサービスに関し、より詳しくは、公衆網と私設網が連動したネットワークで私設網を通じてデータサービス(区内データサービス)の提供を受けることができるようにするための公衆網と私設網が連動したネットワークでデータサービスを提供する方法及びそのシステムに関する。
【背景技術】
【０００２】
社内(インビルディング:In-Building)の事務環境で無料で音声通話及びデータサービスを提供するためのソリューションとして、区内有無線私設交換機にＣＤＭＡ−ＲＦ技術を組み合わせたシステムが登場している。
【０００３】
なお、以下の説明においては、主に社内無線環境を基準として説明するが、区内無線網とは、ビルなどの事務室環境のみを意味することではなく、一定の区域内での通信環境(例: キャンパス、軍キャンプなど)を含む。
【０００４】
無線公衆網と有無線私設網が連動したシステムは、建物内で位置移動する際にはどの場所でも通話を可能とし、区内ゾーン(Zone)を出る場合には、公衆無線網とのハンドオフ(Hand-Off)機能を支援し、文字メッセージサービスを利用して緊急伝達内容を伝達し、イントラネットを構築した場合には、外部で、必要な社内情報を検索することができるなどの多様な付加サービスを提供する。
【０００５】
しかしながら、現在のところ、上記システムで区内(私設網を通じる)ＥＶ−ＤＯサービス機能は支援されていない。
【０００６】
これは、端末が、区内ＥＶ−ＤＯサービス要請信号を発信するときには、私設網で現在伝達を受けたデータサービスが、公衆網経由の呼か私設網経由の呼かを判別することができないからである。
【０００７】
また、該当するデータサービスに関する認証及び課金処理は、公衆網ＤＣＮ(Data Core Network)内の別の装置(例:ＡＡＡ)を通じて制御及び加工処理が行われたが、データサービスシステムのデータベースに設定されたオプションよって認証及び課金が一括的に処理されるため、使用者に認証及び課金についての選択権は与えられていなかった。
【０００８】
以下、一般的なデータサービス形態について説明する。
【０００９】
図１は、一般的な無線公衆網を通じたデータサービス伝達経路を示す概略図である。
【００１０】
まず、発信側端末１で、データサービスを受けるために、サーバーに接続を試みた場合には、この信号は、ＢＴＳ(Base Transceiver Station)２に受信され、ＢＳＣ(Base Station Controller)(制御局)３で整合された後に、ＰＤＳＮ(Packet Data Service Node)４へ伝達される。ＰＤＳＮ４は、現在受信したデータ呼をコンテンツサーバー５へ伝送して、発信側端末１とコンテンツサーバー５との間にセッションを形成する。
【００１１】
しかしながら、このようなシステムに有無線私設網が接続すると、私設網内部で、現在受信されたデータ呼を公衆網及び私設網の中でどのネットワークにルーティングかを決定する必要があるが、これについての判断の根拠になる区分情報が存在しないという問題点がある。
【００１２】
即ち、無線公衆網と有無線私設網が連動したネットワークで、区内無線端末で区内私設網データサービスサーバーに接続を試みる場合には、公衆網及び私設網の中でどのネットワークを利用してデータサービスの提供を受けようとするかについての区分情報が存在せず、データサービスを無条件に公衆網を通じて提供を受けるようになる。
【００１３】
したがって、既存の無線公衆網と有無線私設網が連動したネットワークでは、私設網経由で区内データサービスを利用することができないという問題点がある。
【発明の開示】
【発明が解決しようとする課題】
【００１４】
したがって、本発明は上述したような従来技術の問題点を解決するためになされたもので、その第１の目的は、私設網の利用者が無線端末で区内(私設網)データサービス及び公衆網データサービスを選択して利用できるようにするための無線公衆網と有無線私設網が連動したネットワークでデータサービスを提供する方法及びそのシステムを提供することにある。
【００１５】
本発明の第２の目的は、データ呼に対する認証及び課金方法を使用者が選択できるようにすることにある。
【００１６】
本発明の第３の目的は、ハードウェアの変更なしに、システム及び端末のソフトウェアアップグレードだけでも、私設網を経由してパケットデータサービスを受けることができるようにして、他の費用が生じないようにすることにある。
【００１７】
本発明の第４の目的は、実現しやすく、費用がかからずに、効率的な無線公衆網と有無線私設網が連動したネットワークでデータサービスを提供する方法及びそのシステムを提供することにある。
【課題を解決するための手段】
【００１８】
上記目的を達成するための本発明による公衆網と私設網が連動した環境でデータサービスを提供する方法は、任意の端末でデータサービスを私設網と公衆網のいずれへ伝送するかについての識別子を設定する第１の段階と、任意の端末から伝送された端末の識別子を検索し、検索情報に基づいて該当網へデータサービスを要請する第２の段階とを含むことを特徴とする。
【００１９】
また、上記の目的を達成するための本発明による他の公衆網と私設網が連動したネットワークでデータサービスを提供する方法は、使用者端末が、区内私設網を通じてデータサービスの提供を受けるか否かを設定する第１の段階と、データサービスを私設網と公衆網とのいずれへ伝送するかについての使用者端末の設定事項を、私設網データベースに保存する第２の段階と、任意の使用者がデータサービスを要請する場合には、使用者端末の識別子を、私設網データベースで検索し、データベースに設定された状態に基づいて、私設網及び公衆網の中のいずれかへデータサービスを提供する第３の段階と、を含む。
【００２０】
好ましくは、上記方法は、私設網を通じたデータサービス設定に関する機能を解除する第４の段階をさらに含む。
【００２１】
上記方法で、第１の段階は、使用者端末のボタンキーを用いてデジットを入力設定することにより実行される。
【００２２】
好ましくは、デジットは、私設網アクセスコードと、機能アクセスコードと特性コード(私設網データサービス設定機能コード)と、からなる。
【００２３】
好ましくは、第２の段階においては、基地局を通じて受信されたデータサービス要請信号は、使用者端末の識別子とともに私設網制御局に伝送されて、私設網制御局内のデータベースの中で私設網データサービス設定テーブルの各エントリー別に設定された私設網経路についてのフィールドを参照して実行される。
【００２４】
好ましくは、第４の段階は、使用者端末のボタンキーを用いて特定番号（私設網アクセスコードと機能アクセスコードと特性コード(私設網データサービス設定解除機能コード)）を入力設定することにより実行される。
【００２５】
上記の目的を達成するための本発明による公衆網と私設網が連動したネットワークでデータサービスを提供するシステムは、任意の無線端末から受信されるデータサービス要請信号を受信するか、又は、任意の無線端末へ送信するデータを送信する少なくとも一つ以上の基地局と、少なくとも一つ以上の基地局を通じて送受信されるデータサービス要請信号を、公衆網を通じて送受信する場合に、データ制御を担当する公衆網と、基地局に受信されたデータサービス要請信号に含まれた発信側端末の識別子を通じてデータサービスのデータを私設網及び公衆網のいずれへ送るかを決定して、該当網へ伝送する経路判断部からなる私設網と、私設網で受信したデータサービス要請信号を私設網データサービスで判断する場合に、公衆網を通じずに私設網に直接データサービスを提供する私設網専用の私設コンテンツサーバーとを含む。
【００２６】
好ましくは、私設網は、発信側端末の識別子フィールドと、データサービス経路を表するフィールドと、で構成されたテーブル構造のデータベースと、基地局を通じて受信したデータサービス要請信号の発信側端末の識別子を、データベースを参照して発信識別子についてのデータサービス経路を判断して私設網及び公衆網の中で該当網へ伝送する経路判断部と、データルーティングソフトウェアモジュールを通じて受信されたデータが私設網データサービスである場合には、このデータサービスのデータを、私設コンテンツサーバーへ伝送し、発信側端末から私設網/公衆網使用設定に対する入力がある場合には、この入力事項をデータベースに記録する私設網制御モジュールと、を含むことを特徴とする。
【００２７】
好ましくは、データベースは、使用者端末がデータサービスの提供を受けるときに認証過程実行可否を表す認証フィールドと、使用者端末がデータサービスの提供を受けるときにデータ呼に対する課金計算実行可否を表す課金フィールドと、をさらに含む。
【００２８】
好ましくは、データベースのデータサービス経路フィールドは、使用者端末がデータサービス経路を設定しないときには、公衆網で初期設定されることを特徴とする。
【００２９】
好ましくは、私設網制御モジュールは、複数の基地局を管理し、無線チャンネルセットアップ及び周波数ホッピング処理を担当する私設網制御モジュールと、データサービスのデータ呼についてのスイッチング機能を担当する私設ＰＤＳＮモジュールと、を含む。
【００３０】
上記の目的を達成するための本発明による公衆網と私設網が連動したネットワークでデータサービスを提供する方法は、使用者端末が、データサービス要請信号を発信する第１の段階と、私設網は、識別子情報に基づいてデータサービスを私設網及び公衆網の中でどの網へ伝送するかを判断する第２の段階と、識別子情報によって私設網経由データサービス呼と判断された場合には、このデータサービス呼を私設コンテンツサーバーへ伝送する第３の段階と、識別子情報によって公衆網経由データサービスのデータと判断された場合には、このデータサービス呼を公衆網コンテンツサーバーへ伝送する第４の段階と、を含むことを特徴とする。
【発明の効果】
【００３１】
本発明によると、無線公衆網と有無線私設網が連動したネットワークでパケットデータサービスを公衆網及び私設網の中で選択して伝送することができるため、使用者に便利さを提供することが可能となる。
【００３２】
また、各使用者の端末についてハードウェア及びソフトウェアの変更なしに、システムのソフトウェアアップグレードを通じて、私設網を利用してデータサービスの提供を受けることができるので、追加の費用が発生しないという長所がある。
【発明を実施するための最良の形態】
【００３３】
以下、添付の図面を参照して本発明による好ましい実施の形態について詳細に説明する。
【００３４】
以下、本発明による無線公衆網と私設網が連動したネットワークでデータサービスを提供する装置及び方法について説明する。
【００３５】
図２は、本実施形態による無線公衆網と私設網が連動したネットワークにおけるデータサービス伝達経路を概略的に示すブロック図である。
【００３６】
本実施形態の有無線私設網は、無線私設網又は有線及び無線が接続した私設網を意味する。
【００３７】
無線公衆網システム１０は、データサービスを提供するコンテンツサーバー１５を含む。
【００３８】
私設網システム２００は、データサービスを提供する私設コンテンツサーバー２６と、データをどのネットワークを通じて伝送するかを判別する経路判断部２００ａとをに含む。
【００３９】
経路判断部２００ａは、発信側端末１１から発信されるデータ要請信号に含まれた経路識別子を通じて、このデータをどのネットワークを経由して伝送するかを判断する。
【００４０】
一方、発信側端末１１から、データを私設網を通じて伝送するという設定メッセージを予め受け、この情報を、私設網システム２００内部に保存しておくことにより、以後発生する発信側端末１１からのデータ要請信号については、使用者が設定した情報によって、私設網及び公衆網を選択して伝送することができる。
【００４１】
上記のように構成された状態で、実際に発信側端末１１でデータサービス要請信号を送信してデータサービスを該当ネットワークから伝送を受ける過程について以下に説明する。
【００４２】
まず、発信側端末１１からデータサービス要請信号を発信した場合には、この信号は、受信可能領域にある私設網システム２００で受信する。
【００４３】
私設網システム２００内部の経路判断部２００ａは、発信されたデータサービス要請信号に含まれた識別子により、このデータをどのネットワークに伝送するかを判断する。
【００４４】
識別子により私設網経由データであると判断された場合には、このデータを、私設コンテンツサーバー２６に送信して、該当データサービスの提供を受けることができる。
【００４５】
識別子により公衆網経由データであると判断された場合には、このデータを、公衆網コンテンツサーバー１５に送信して、該当データサービスの提供を受けることができる。
【００４６】
以下、私設網が公衆網の一部分に接続して運営されるシステムを例としてあげて説明する。
【００４７】
図３は、私設網が公衆網ＢＳＣ端に接続したシステムにおけるデータ伝達経路を概略的に示すブロック図である。
【００４８】
図３を参照すると、無線公衆網と有無線私設網が連動したネットワークの構成は、大きく無線公衆網システム１０と、私設網システム２００、３０、２６からなる。
【００４９】
私設ＢＳＣが、無線公衆網ＢＳＣ端に接続したネットワークを例として本実施形態の構成を説明すると、ＢＴＳ１２と、私設ＢＳＣ２０と、私設ＰＤＳＮ３０と、私設コンテンツサーバー２６と、無線公衆網システム１０と、で構成される。
【００５０】
無線公衆網システム１０は、ＢＳＣ１３と、ＰＤＳＮ１４と、コンテンツサーバー１５と、を含んでなり、ＢＳＣ１３は、無線リンク制御及びハンドオフ機能を実行し、ＰＤＳＮ１４は、パケットデータのスイッチングを実行する。
【００５１】
私設網システム２００は、私設ＢＳＣ(制御局)２０と、私設ＰＤＳＮ３０と、私設コンテンツサーバー２６と、を含む。
【００５２】
ＢＴＳ１２は、公衆及び無線私設網を同時に支援するセル受信可能範囲を自分のセル領域で設定している。
【００５３】
なお、共有セル領域についての詳しい事項は、大韓民国特許第１０−０３６５７９０号に記載している。
【００５４】
図４は、図３に示された私設網制御局を詳細に示すブロック図である。
【００５５】
図４に示すように、私設ＢＳＣ２０は、私設ＢＴＭＲモジュール２１と、私設ＢＳＣモジュール２２と、私設ＰＤＳＮモジュール２３と、私設ＭＳＣモジュール２４と、私設パケットデータ呼設定テーブル２５と、を含む。
【００５６】
なお、本実施形態においては、私設ＢＴＭＲモジュール２１と、私設ＢＳＣモジュール２２と、私設ＰＤＳＮモジュール２３と、私設ＭＳＣモジュール２４は、ソフトウェアによるブロックで構成され、各機能別に分類したものである。 
【００５７】
私設ＢＴＭＲモジュール２１は、ＢＴＳ１２から受信されるデータについて私設網利用データ呼であるか可否を判断するために、私設パケットデータ呼設定テーブル２５の情報を検索し、情報結果によって、パケットデータ呼を該当ネットワークへ伝達する機能(ルーティング)を実行する。
【００５８】
私設ＢＳＣモジュール２２は、公衆網でのＢＳＣに対応する機能、即ち、無線リンク制御及びハンドオフ機能を実行する。
【００５９】
私設ＰＤＳＮモジュール２３は、パケットデータ呼を該当サーバーにスイッチングする機能を実行する。 
【００６０】
私設ＭＳＣモジュール２４は、私設パケットデータ呼設定テーブル２５の情報変更機能も実行する。
【００６１】
なお、本実施形態では、私設ＢＴＭＲモジュール２１と、私設ＢＳＣモジュール２２と、私設ＰＤＳＮモジュール２３と、私設ＭＳＣモジュール２４との間で固定された機能のみを実行するわけではなく、その機能が必要だと判断される場合には運用者の選択によって適宜望ましい形態に変更させることができる。 
【００６２】
任意の端末(ＭＳ: Mobile Station)１１でデータサービス接続を試みる場合には、該当区域のＢＴＳ１２でこれを受信して、私設ＢＳＣ２０で整合させる。私設ＢＳＣ２０は、データがどのネットワーク(私設網/公衆網)を経由するかを判断し、私設網を経由するデータの場合には、私設コンテンツサーバー２６へ伝送し、公衆網を経由するデータの場合には、無線公衆網システム１０へ伝送する。
【００６３】
私設ＢＳＣ２０は、ＢＴＳ１２を通じて受信したデータ呼の発信ＩＤを、データベースを参照して、発信ＩＤに対してデータサービス経路を判断して、該当ネットワーク(私設網/公衆網)へ伝送する私設ＢＴＭＲモジュール２１と、複数の基地局を管理して無線チャンネルセットアップ及び周波数ホッピング処理を担当する私設ＢＳＣモジュール２２と、データ呼スイッチング機能を担当する私設ＰＤＳＮモジュール２３と、端末に関する情報を変更する場合に、私設パケットデータ呼設定テーブル２５で情報を変更する私設ＭＳＣモジュール２４と、発信側端末のＩＤに対応する私設パケットデータ呼経路情報フィールドからなる私設パケットデータ呼設定テーブル２５と、を含む。
【００６４】
図５は、私設網を通じたデータサービス呼伝達有無データを有するデータベースについてのテーブルである。
【００６５】
図５を参照すると、私設パケットデータ呼設定テーブル２５は、発信側端末ＩＤ（ＭＳ  ＩＤ）フィールド及びパケットデータ呼経路フィールドの以外に、該当データ呼についての認証及び課金方法を使用者が選択できるようにするための認証及び課金フィールドを含む。
【００６６】
本実施形態では、発信側端末ＩＤについては、ＭＩＮとＥＳＮを例であげて説明するが、これ以外にも発信側端末ＩＤフィールドには、ＩＭＳＩ(International Mobile Subscriber Identity)、ＴＭＳＩ(Temporary Mobile Subscriber Identity)などがある。
【００６７】
ここで、ＭＩＮは、端末機の電話番号として１０進数１０桁形態で表し、ＥＳＮは、端末機に割り当てられる区分字として８ビットが割り当てられる。
【００６８】
端末機種類ごとに端末ＩＤ表現方法が違うが、ＭＩＮ、ＥＳＮ、ＩＭＳＩ、ＴＭＳＩの中でどの一つに基づく端末ＩＤを認識しても構わない。
【００６９】
私設パケットデータ呼設定テーブル２５は、私設ＭＳＣモジュール２４に属することができ、私設ＰＤＳＮモジュール２３と私設ＢＴＭＲモジュール２１、そして私設ＢＳＣモジュール２２の中でいずれかに置くこともできる。また、別のデータベースで構成することもできる。
【００７０】
パケットデータ経路フィールドは、初期設定(デフォルト:default)が公衆網になっている場合に私設網を経由しようとする場合には、予め私設網を使うことについて設定する必要がある。
【００７１】
一方、パケットデータ経路フィールド初期設定(デフォルト:default)が私設網になっている場合に公衆網を経由しようとする場合には、予め公衆網を使うことについて設定する必要がある。 
【００７２】
上記のように構成された状態で、使用者が私設網を通じてパケットデータサービスの提供を受けるためには、まず、私設網データサービス経路を設定する過程を実行する必要がある。
【００７３】
図６は、本実施形態による使用者が私設網データサービス経路を設定する過程についてのフローチャートである。
【００７４】
図６を参照して、私設網データサービス経路設定のための特性コードを５０と仮定して私設網の使用を設定する過程について説明する。
【００７５】
なお、本実施形態では、私設網アクセスコードを“＃”で定義し、機能アクセスコードも“＃”で定義したが、他の値で定義されている場合にはその値を使用することも可能である。即ち、“＊”や他の番号キーで定義されていればそれを使えば良い。 
【００７６】
また、特性コードに対して、私設網経由データサービスのためのコード値は５０で、私設網経由データサービス設定解除のためのコード値は５ｆで、該当呼に対する認証過程を実行する場合のコード値は１で、実行しない場合のコード値は０で、該当呼に対する課金計算が行われる場合のコード値は１で、課金を計算しない場合のコード値は０で定義したが、他の数字で定義して使うことも可能である。
【００７７】
私設網アクセスコードと、機能アクセスコードと、特性コードに関するコード値は、私設網制御局内部のデータベースに保存され、任意の発信側端末から送信されるダイヤルデジット値によって該当コードに関する機能を実行するようにする。
【００７８】
以下の説明において、使用者が設定するダイヤルデジットの一番目の＃は、私設網の制御局の内部のデータベースに保存された私設網アクセスコードである。 
【００７９】
まず、端末のボタンキーを用いてデジット“＃＃５００１”を入力して、通話ボタンを押してデジットを発信する(ステップ１、ステップ２。なお。図中においてステップをＳと略する。以下同じ)。
【００８０】
“＃＃５００１”の意味は、表１のとおりである。
【００８１】
【表１】
2005223915.tif 000003
【００８２】
次に、機能設定発信メッセージは、私設ＢＴＭＲモジュール２１へ伝送され、一番目のデジットにより私設網サービスの可否を判断する(ステップ３)。
【００８３】
ステップ３の判断の結果、一番目のデジットが一般の数字である場合には、私設網接続コードではなく公衆網接続を意味するので、私設ＢＴＭＲモジュール２１は、データ呼を公衆網ＢＳＣへ伝送する(ステップ６)。
【００８４】
なお、本実施形態では、私設ＢＴＭＲモジュール２１でデータ伝送機能を実行することを例で説明したが、私設ＢＳＣモジュール２２と、私設ＰＤＳＮモジュール２３と、私設ＭＳＣモジュール２４でも設定することができる。
【００８５】
一方、ステップ３段階での判断の結果、一番目のデジットが“＃”であると判断された場合には、私設網接続コードであるため、二番目のデジットが機能コードであるか否かを判断する(ステップ４)。
【００８６】
ステップ４での判断の結果、二番目のデジットが“＃”ではなくて一般の数字である場合には、私設ＰＤＳＮモジュール２３はデータ呼を私設網に接続させる(ステップ７)。
【００８７】
なお、本実施形態では、私設ＰＤＳＮモジュール２３でデータ呼を私設網で接続させることを例で説明したが、私設ＭＳＣモジュール２４を通じて私設網にスイッチングすることもできる。
【００８８】
一方、ステップ４での判断の結果、二番目のデジットが“＃”であると判断された場合には、使用者が他の機能を設定しようとする場合であるため、二番目のデジットの後に付いて来るデジット“５００１”によって私設パケットデータサービス経路を設定するために、私設ＰＤＳＮモジュール２３又は私設ＭＳＣモジュール２４は、私設データサービス呼設定テーブル２５に、該当端末のデータサービス呼経路フィールドを私設網(private)で設定して、データサービスオプションである認証フィールドを“０”で記録し、課金フィールドは“１”で記録する(ステップ５)。
【００８９】
なお、本実施形態では、私設ＭＳＣモジュール２３で私設パケットデータ呼設定テーブル２５にデータサービス経路を設定することを例で説明したが、私設ＢＴＭＲモジュール２１、私設ＢＳＣモジュール２２と、私設ＰＤＳＮモジュール２３でも設定することができる。
【００９０】
以下、図７を参照して、私設網でパケットデータを送受信する過程について説明する。
【００９１】
図７は、本発明の実施形態による使用者が私設網を通じてデータサービスの提供を受ける過程についてのフローチャートである。
【００９２】
まず、公衆及び私設網共有セル領域の端末機で、ブラウザーを利用してＵＲＬ入力メニューを通じて、区内コンテンツサーバーに接続を試み、信号を送信する(ステップ１１)。私設ＢＳＣ内の私設ＢＴＭＲモジュール２１は、私設パケットデータ呼設定テーブル２５から、該当端末のデータ送受信経路設定情報を呼び出す。 
【００９３】
次に、呼び出された情報を参照して、該当発信側端末ＩＤに対応する私設網パケットデータ呼経路フィールドに、端末のデータ送受信経路が私設網で設定されているか否かを判断する。
【００９４】
判断の結果、該当発信側端末ＩＤに対応する私設網パケットデータ経路フィールドに端末のデータ送受信経路が私設網で設定されている場合には、私設ＢＴＭＲモジュール２１は、私設ＰＤＳＮ ＰＰＰデモン(daemon)を実行して、端末機のＰＰＰクライアントモジュールとのＰＰＰ交渉を進行する(ステップ１２)。
【００９５】
次に、ＰＰＰ交渉を完了すると、私設パケットデータ呼設定テーブル２５で、該当発信側端末ＩＤに対応する認証フィールドの値を比較して(ステップ１３)、認証フィールドの値が１である場合には、端末機認証過程を実行した(ステップ１５)後に、ＰＰＰ交渉を終了する(ステップ１６)。
【００９６】
一方、ステップ１３で、認証フィールドの値が０である場合には、端末機認証過程なしに(ステップ１４)、すぐＰＰＰ交渉過程を終了する(ステップ１６)。
【００９７】
次に、ＰＰＰ交渉過程が終了すると、端末機と私設コンテンツサーバーとの間にセッションが形成されるので、端末は区内コンテンツサーバーに接続することができ、コンテンツの中で使用者が希望するパケットデータをダウンローディングする(ステップ１７)。
【００９８】
ダウンローディングを進行した後に、私設パケットデータ呼設定テーブル２５で該当発信側端末ＩＤに対応する課金フィールドの値を比較して(ステップ１８)、課金フィールドの値が１である場合には、該当データ呼についての課金計算を実行した(ステップ２０)後に、パケットデータのダウンローディングを終了する(ステップ２１)。
【００９９】
一方、ステップ１８で、課金フィールドの値が０である場合には、該当データ呼についての課金を計算しないで(ステップ１９)、すぐパケットデータのダウンローディングを終了する(ステップ２１)。
【０１００】
上記のように、任意の端末が私設網パケットデータ呼経路を設定する場合には、この端末は設定を解除する前までは、私設網を通じてデータサービスの提供を受けることができる。
【０１０１】
したがって、使用者がデータサービスを公衆網を通じて伝送する場合に備えて、私設網パケットデータ呼設定を解除する方法が必要である。 
【０１０２】
図８は、本発明の実施形態による私設網データサービス機能を解除する過程についてのフローチャートである。 
【０１０３】
図８を参照して、私設網パケットデータ呼解除のための特性コードを５ｆと仮定して説明する。
【０１０４】
まず、端末のボタンキーを利用してデジット“＃＃５ｆ”を入力して、通話ボタンを押してデジットを発信する(ステップ３１、ステップ３２)。
【０１０５】
“＃＃５ｆ”の意味は、表２のとおりである。
【０１０６】
【表２】
2005223915.tif 000004
【０１０７】
機能設定発信メッセージは、私設ＢＴＭＲモジュール２１へ伝送され、一番目のデジットを通じて私設網サービス可否を判断する(ステップ３３)。
【０１０８】
ステップ３３での判断結果、一番目のデジットが一般の数字である場合には、私設網接続コードではなくて公衆網接続を意味するため、私設ＢＴＭＲモジュール２１は、現在のデータ呼を公衆網ＢＳＣへ伝送する(ステップ３６)。
【０１０９】
本実施形態では、私設ＢＴＭＲモジュール２１でデータ呼伝送機能を実行することを例として説明したが、私設ＢＳＣモジュール２２、私設ＰＤＳＮモジュール２３、私設ＭＳＣモジュール２４でも設定することができる。
【０１１０】
一方、ステップ３３での判断の結果、一番目のデジットが“＃”であると判断された場合には、私設網接続コードであるため、二番目のデジットが機能コードであるか否かを判断する(ステップ３４)。
【０１１１】
そして、ステップ３４での判断の結果、二番目のデジットが“＃”ではなくて一般の数字である場合には、私設ＰＤＳＮモジュール２３は、データ呼を私設網に接続する(ステップ３７)。
【０１１２】
次に、ステップ３４での判断の結果、二番目のデジットが“＃”であると判断された場合には、使用者が他の機能を設定しようとする場合であるため、二番目のデジットの後に付いてくるデジット“５ｆ”によって、私設パケットデータ呼設定を解除するために、私設ＭＳＣモジュール２４は、私設パケットデータ呼設定テーブル２５に該当端末のパケットデータ呼経路フィールドを公衆網(public)に変更する(ステップ３５)。
【０１１３】
本実施形態では、私設ＭＳＣモジュール２４で私設パケットデータ呼設定テーブル２５にパケットデータ呼経路を設定することを例として説明したが、私設ＢＴＭＲモジュール２１、私設ＢＳＣモジュール２２、私設ＰＤＳＮモジュール２３でも設定することができる。
【０１１４】
したがって、私設網パケットデータサービス設定を解除した後に、この端末から伝送されるデータサービス要請信号は、再度私設網パケットデータ呼を設定するまでは、公衆網を経由することとなる。
【０１１５】
一方、図８で私設網パケットデータ呼を解除する場合について説明したが、使用者の便宜のために私設網パケットデータ呼設定解除過程を実行せずに、使用者が希望する場合に自動的に解除することもできる。
【０１１６】
自動的に解除する方法は、私設網パケットデータ呼の設定後に一定時間が経過した後に、自動的に解除するようタイマーを設定するか、または、データサービスを受ける回数を設定して、設定した回数で自動的に解除することができる。
【０１１７】
本実施形態では例示しなかったが、私設パケットデータ呼タイマー設定機能及びデータサービス提供回数設定機能を、互いに組み合わせて使うこともでき、この機能の以外にも必要な付加機能がある場合には、私設パケットデータ呼設定テーブルにオプション項目で追加することができる。
【０１１８】
端末のスペックを変更する際に、端末のディスプレー部(液晶画面)にデータサービス経由網の表示及び残り伝送回数、そして、残り時間などを表示するように製造することにより、データ伝送に関連する各種情報により、使用者は、端末がどのネットワークを経由してパケットデータサービスを提供することが可能か容易に認識できる。 
【０１１９】
私設網に設定されている状況で、私設網を通じてデータサービスを受けることができる回数と時間も判断できるため、使用者の便宜を最大にすることができる。
【０１２０】
本実施形態では、データサービス経由網を予め設定した後に、私設網又は公衆網データサービスの提供を受けることができる方法と、データサービス呼の要請時に、ネットワークの経由についての識別子を一緒に伝達して、データサービス呼要請と同時に使用網を設定する方法を提示した。
【０１２１】
上記データサービス呼の要請時に、どのネットワークを経由するかについての識別子を一緒に伝達して、データサービス呼要請と同時に使用網を設定する方法については、経路判断部で識別子を認識して識別子に表示された網で該当データ呼を伝達する方式を例として説明したが、この方式の以外にも様々に変形して実施することが可能である。
【０１２２】
本発明は、本発明の技術的思想から逸脱することなく、他の種々の形態で実施することができる。前述の実施例は、あくまでも、本発明の技術内容を明らかにするものであって、そのような具体例のみに限定して狭義に解釈されるべきものではなく、本発明の精神と特許請求の範囲内で、いろいろと変更して実施することができるものである。
【図面の簡単な説明】
【０１２３】
【図１】一般的な無線公衆網を通じたデータサービス伝達経路を示す概略図である。
【図２】本発明の実施形態による無線公衆網と私設網が連動したネットワークにおけるデータサービス伝達経路を概略的に示すブロック図である。
【図３】私設網が公衆網ＢＳＣ端に接続したシステムにおけるデータ伝達経路を概略的に示すブロック図である。
【図４】図３に示された私設網制御局を詳細に示すブロック図である。
【図５】私設網を通じたデータサービス呼伝達有無データを持つデータベースについてのテーブルである。
【図６】本発明の実施形態による使用者が私設網データサービス経路を設定する過程についてのフローチャートである。
【図７】本発明の実施形態による使用者が私設網を通じてデータサービスの提供を受ける過程についてのフローチャートである。
【図８】本発明の実施形態による私設網データサービス機能を解除する過程についてのフローチャートである。
【符号の説明】
【０１２４】
１０  無線公衆網システム
１１  発信側端末
１２  ＢＴＳ
１３  ＢＳＣ 
１４  ＰＤＳＮ
１５  コンテンツサーバー
２０  私設ＢＳＣ
２１  私設ＢＴＭＲモジュール
２２  私設ＢＳＣモジュール
２３  私設ＰＤＳＮモジュール
２４  私設ＭＳＣモジュール
２５  私設パケットデータ呼設定テーブル
２６  私設コンテンツサーバー
３０  私設ＰＤＳＮ
【図１】
2005223915.tif 000005
【図２】
2005223915.tif 000006
【図３】
2005223915.tif 000007
【図４】
2005223915.tif 000008
【図５】
2005223915.tif 000009
【図６】
2005223915.tif 000010
【図７】
2005223915.tif 000011
【図８】
2005223915.tif 000012